(57)【要約】【課題】薄型表示装置を壁面に寄せて設置したときに転倒を防止することができる技術を提供する。【解決手段】薄型表示装置１のスタンドベースは、表示部１１の背面側に対応する第２ベース部４が分離可能に構成されている。表示部１１の背面には、表示装置側固定金具６が設けられ、壁面８には、壁側固定金具７が設けられている。第２ベース部４には、第１足部と第２足部４２２とが設けられている。第１足部が、表示装置側固定金具６に挿し込まれ、第２足部４２２が壁側固定金具７に差し込まれることで、第２ベース部４によって表示装置側固定金具６と壁側固定金具７とが連結され、壁面８に寄せて設置された薄型表示装置１の転倒を防止する。【選択図】図８
2014002319.tif 000002
【特許請求の範囲】
【請求項１】
スタンドに装着された薄型表示装置であって、
前記スタンドのスタンドベースは、表示部の背面側に対応するベース部が分離可能に構成され、
前記背面側の前記ベース部は、前記表示部の背面側に設けられた表示装置側固定金具と壁面に設けられた壁側固定金具とを連結して、前記表示部を壁面に寄せて固定する連結具である
ことを特徴とする薄型表示装置。
【請求項２】
前記背面側のベース部は、
前記スタンドベースから分離したときに、ベースカバーから露出する第１の足部と第２の足部とを有し、
前記足部の一方が、前記表示装置側固定金具の足部挿し込み用開口に挿し込まれ、前記足部の他方が、前記壁側固定金具の足部挿し込み用開口に挿し込まれて、前記表示部と前記壁面とを連結する
ことを特徴とする請求項１に記載の薄型表示装置。
【請求項３】
前記スタンドベースから前記背面側のベース部が取り外されたとき、前記表示装置側固定金具と、前記表示装置側固定金具の取り付け位置に対応する前記壁面の位置に取り付けられた前記壁側固定金具とが、互いに密接して当接可能となることを特徴とする請求項１又は２に記載の薄型表示装置。
【請求項４】
前記背面側のベース部の厚さは、前記表示装置側固定金具と前記壁側固定金具とを互いに密接して当接させたときの隙間より僅かに短いことを特徴とする請求項１から３までのいずれか一項に記載の薄型表示装置。
【請求項５】
前記第２の足部は、前記第１の足部よりも前記ベースカバーから突出していることを特徴とする請求項１から４までのいずれか一項に記載の薄型表示装置。
【発明の詳細な説明】
【技術分野】
【０００１】
本発明は、壁面に寄せて設置可能なスタンドを装着した薄型表示装置に関する。
【背景技術】
【０００２】
近年、テレビジョン受像機等の表示装置の薄型化が進み、壁面に寄せて薄型表示装置を設置したいという要望が多くある。これについて、例えば、スタンドベースの底面の左右両端部に、回動軸を中心に底面と平行に回動する転倒防止部材が設けられた薄型表示装置が知られている（例えば、特許文献１を参照）。特許文献１の技術では、転倒防止部材を表示部の背面側に突出しないように回動させることで、薄型表示装置を壁寄せ可能にしている。
【先行技術文献】
【特許文献】
【０００３】
【特許文献１】特開２００６−２２７４０５号公報
【発明の概要】
【発明が解決しようとする課題】
【０００４】
しかしながら、特許文献１の技術では、転倒防止部材を回動させて、薄型表示装置を壁面に寄せるだけであるため、壁面に寄せた薄型表示装置が転倒する虞があった。
【０００５】
本発明は上記課題に鑑みてなされたものであり、薄型表示装置を壁面に寄せて設置したときに、転倒を防止することができる技術を提供することを目的とする。
【課題を解決するための手段】
【０００６】
本発明の薄型表示装置は、スタンドに装着された薄型表示装置であって、前記スタンドのスタンドベースは、表示部の背面側に対応するベース部が分離可能に構成され、前記背面側の前記ベース部は、前記表示部の背面側に設けられた表示装置側固定金具と壁面に設けられた壁側固定金具とを連結して、前記表示部を壁面に寄せて固定する連結具であることを特徴とする。
また、前記背面側のベース部は、前記スタンドベースから分離したときに、ベースカバーから露出する第１の足部と第２の足部とを有し、前記足部の一方が、前記表示装置側固定金具の足部挿し込み用開口に挿し込まれ、前記足部の他方が、前記壁側固定金具の足部挿し込み用開口に挿し込まれて、前記表示部と前記壁面とを連結してもよい。
また、前記スタンドベースから前記背面側のベース部が取り外されたとき、前記表示装置側固定金具と、前記表示装置側固定金具の取り付け位置に対応する前記壁面の位置に取り付けられた前記壁側固定金具とが、互いに密接して当接可能となってもよい。
また、前記背面側のベース部の厚さは、前記表示装置側固定金具と前記壁側固定金具とを互いに密接して当接させたときの隙間より僅かに短くてもよい。
また、前記第２の足部は、前記第１の足部よりも前記ベースカバーから突出していてもよい。
【発明の効果】
【０００７】
本発明によれば、薄型表示装置を壁面に寄せて設置したときに、転倒を防止することができる。
【図面の簡単な説明】
【０００８】
【図１】本発明に係る実施形態の薄型表示装置の外観を示す斜視図である。
【図２】図１に示すスタンドの外観図である。
【図３】図２に示すＡ−Ａ断面図である。
【図４】図２に示すスタンドベースを分離させた様子を示す図である。
【図５】図３に示すＢ−Ｂ断面図である。
【図６】図１に示す表示部の概略背面斜視図である。
【図７】図６に示す表示部の概略背面図であって、表示側固定金具の足部挿し込み用開口に第２ベース部を挿し込んだ様子を示す図である。
【図８】図１に示す薄型表示装置を壁面に寄せて設置した様子を示す側面図である。
【図９】図８に示す薄型表示装置の上面図である。
【図１０】図８に示す薄型表示装置の下面図である。
【図１１】図９に示すＣ−Ｃ断面拡大図である。
【発明を実施するための形態】
【０００９】
以下、図を参照して本発明の実施形態を詳細に説明する。なお、本実施形態において、同様の機能を示す構成には、同一の符号を付してある。
【００１０】
図１に示すように、テレビ等の薄型表示装置１は、表示部１１とスタンド９とを有する。表示部１１は、スタンド９の支柱２の上部に不図示の取付金具を介して取り付けられている。スタンドベース９１は、第１ベース部３と第２ベース部４とに分離可能に構成されている。スタンドベース９１から第２ベース部４を取り外すことで、スタンドベース９１の薄型表示装置１の背面側における奥行きが短くなり、薄型表示装置１を壁面に寄せて設置できる。
【００１１】
図２を参照して具体的にスタンド９の構成を説明する。図２（ａ）は、スタンド９の平面図であり、図２（ｂ）は、スタンド９の底面図である。また、図３は、図２（ｂ）のＡ−Ａ断面図である。
【００１２】
スタンド９は、支柱２とスタンドベース９１とで構成される。支柱２は、スタンドベース９１の略中央部に差し込まれ、底面側からビスで固定されている。スタンドベース９１は、ベースカバー９２とベースカバー９２の背面に設けられたベース金具９３とで構成される。スタンドベース９１は、第１ベース部３と第２ベース部４とに分離可能に構成されている。第１ベース部３は、第１ベースカバー３１と第１ベース金具３２とを有する。第２ベース部４は、第２ベースカバー４１と第２ベース金具４２とを有する。支柱２は、第１ベース部３の領域に配置されている。
【００１３】
スタンドベース９１は、長手方向が約４５０ｍｍであり、短手方向が約２３０ｍｍであり、厚さが約１５ｍｍである。ベースカバー９２は、第１ベースカバー３１（長手方向約４５０ｍｍ、短手方向約１４５ｍｍ）と第２ベースカバー４１（長手方向約４５０ｍｍ、短手方向約８５ｍｍ）とに分離可能に構成されている。
【００１４】
ベース金具９３は、第１ベース金具３２と第２ベース金具４２とで構成される。第１ベース金具３２は、第１ベースカバー３１から突出するボス５２に底面側からビスで固定されている。また、第２ベース金具４２は、第２ベースカバー４１から突出するボス５２に底面側からビスで固定されている。
【００１５】
第１ベース部３と第２ベース部４とは、第２ベース金具４２が連結ビス５１で第１ベースカバー３１から突出するボス５２に底面側から固定されることにより強固に連結されている。つまり、第１ベース部３と第２ベース部４とは、連結ビス５１が取り外されることで分離可能となる。
【００１６】
図４は、図２に示す連結ビス５１を外して、第１ベース部３と第２ベース部４とを分離させた様子を示す図であり、図４（ａ）は第１ベース部３と第２ベース部４とにおける平面図であり、図４（ｂ）は第１ベース部３と第２ベース部４とにおける底面図である。また、図５は、図４（ｂ）のＢ−Ｂ断面図である。
【００１７】
第２ベース部４が取り外されると、第２ベースカバー４１から第２ベース金具４２の第１足部４２１と第２足部４２２とが露出する。第２ベース金具４２は、第２ベースカバー４１に内接すると共に、スタンドベース９１の底面部を構成するように形成されている。第１足部４２１は、第２ベース部４の上面側にあり、第２足部４２２は、第２ベース部４の底面側にある。第１足部４２１は、第２ベースカバー４１の短手方向図示左端から最大約７０ｍｍ露出している。また、第２足部４２２は、第２ベースカバー４１の短手方向図示左端から最大約１０５ｍｍ露出している。
【００１８】
図６は、表示部１１の概略背面図である。図６に示すように、表示部１１の背面には、ＶＥＳＡ（Video Electronics Standards Association）規格寸法線１２に従って、壁掛け用に４つのネジ孔１３が設けられている。表示装置側固定金具６はその両側において、表示部１１の背面に設けられた壁掛け用の４つのネジ孔１３の内、表示部１１の長手方向に対応する２つのネジ孔１３を介してネジ留めされている。また、表示装置側固定金具６は、表示部１１の背面にネジ留めされたときに、表示部１１との間に足部挿し込み用開口６１が設けられるように構成されている。
【００１９】
また、不図示の壁面８には、表示部１１の表示装置側固定金具６の取り付け位置に対応する位置に、不図示の壁側固定金具７が取り付けられる。壁側固定金具７は、表示装置側固定金具６と同じ形状をしており、両側を壁面８にネジ留めされたときに、壁面８との間に足部挿し込み用開口７１が形成される。薄型表示装置１が壁面８に寄せられたときに、表示装置側固定金具６と壁側固定金具７とは、同一の寸法で互いに当接する。
【００２０】
図７は、表示部１１の概略背面図であり、表示装置側固定金具６の足部挿し込み用開口６１に第２ベース部４の第１足部４２１を挿し込んだ様子を示す図である。
【００２１】
図示左右の第１足部４２１間の長さと図示左右の第２足部４２２間の長さとは、互いに等しい。また、図示左右の第１足部４２１と図示左右の第２足部４２２とは、足部挿し込み用開口６１の長手方向の内側に入るように形成されている。また、第１足部４２１には、当接部４２１１が設けられている。当接部４２１１は、第２ベースカバー４１の短手方向端部から約３５ｍｍ露出しており、表示装置側固定金具６の足部挿し込み用開口６１の当接縁６２に当接する。第１足部４２１の当接部４２１１と同様に、第２足部４２２にも、第２ベース金具４２の短手方向に向かって延びる当接部４２２１が設けられている。第２ベース金具４２の当接部４２２１は、不図示の壁側固定金具７における足部挿し込み用開口７１の当接縁７２に当接する。
【００２２】
図８に示すように、分離後の第２ベース部４は、表示装置側固定金具６と壁側固定金具７とを連結して、薄型表示装置１を壁面８に寄せて固定させる連結具として用いることができる。図９は、図８の上面図であり、図１０は、図８の下面図である。また、図１１は、図９のＣ−Ｃ断面図であり、第２ベース部４の断面を拡大して示した図である。
【００２３】
第２ベース部４を介して表示装置側固定金具６と壁側固定金具７とを連結するには、まず、表示装置側固定金具６と壁側固定金具７とが互いに密接して背中合わせに当接するように、薄型表示装置１を壁面８に寄せる。薄型表示装置１は、第２ベース部４が取り外されているので、壁面８に寄せられたときに、表示装置側固定金具６と壁側固定金具７とが密接する。
【００２４】
薄型表示装置１と壁面８との隙間は、表示装置側固定金具６と壁側固定金具７とが密接して当接した場合で約２０ｍｍである。なお、第２ベース部４の厚さは、約１５ｍｍであり、薄型表示装置１と壁面８との隙間より僅かに短い。このように、スタンドベース９１から第２ベース部４を取り外すことで、薄型表示装置１を壁面８に近接して寄せることができる。
【００２５】
そして、第１足部４２１が表示装置側固定金具６の足部挿し込み用開口６１に挿し込まれ、第２足部４２２が壁側固定金具７の足部挿し込み用開口７１に挿し込まれるように、第２ベース部４を薄型表示装置１と壁面８との隙間から挿し込む。このように、薄型表示装置１と壁面８との間を第２ベース部４で連結させることで、薄型表示装置１の転倒を防止できるだけでなく、薄型表示装置１の背面に設けられた通気口の通気路を確保することができる。
【００２６】
なお、第２足部４２２は、第２ベースカバー４１の短手方向において、第１足部４２１よりも長く形成されている。そのため、まず、第２足部４２２を壁側固定金具７の足部挿し込み用開口７１に挿し込むように、第２ベース部４を位置決めすることで、第２ベース部４を表示装置側固定金具６と壁側固定金具７とに挿し込みやすくなる。
【００２７】
これにより、表示装置側固定金具６と壁側固定金具７とが第２ベース部４を介して連結され、壁面８に寄せて設置された薄型表示装置１の転倒を防止することができる。また、第２ベース部４を連結具として用いることで、第２ベース部４の紛失を防ぐことができる。
【００２８】
本発明は上述した実施の形態に限定されるものではなく、本発明の趣旨を逸脱しない範囲で種々様々に変更が可能であることは言うまでもない。例えば、本実施形態のスタンドベース９１の寸法は一例であり、第１足部４２１と第２足部４２２とは、表示装置側固定金具６の足部挿し込み用開口６１と壁側固定金具７の足部挿し込み用開口７１とにそれぞれ挿し込み可能な寸法であればよい。また、表示装置側固定金具６に第２足部４２２を挿し込み、壁側固定金具７に第１足部４２１を挿し込むようにしてもよい。
【符号の説明】
【００２９】
１：薄型表示装置
２：支柱
３：第１ベース部
４：第２ベース部
６：表示装置側固定金具
７：壁側固定金具
８：壁面
９：スタンド
１１：表示部
１２：ＶＥＳＡ規格寸法線
１３：ネジ孔
３１：第１ベースカバー
３２：第１ベース金具
４１：第２ベースカバー
４２：第２ベース金具
５１：連結ビス
５２：ボス
６１、７１：足部挿し込み用開口
６２、７２：当接縁
９１：スタンドベース
９２：ベースカバー
９３：ベース金具
４２１：第１足部
４２２：第２足部
４２１１、４２２１：当接部
【図１】
2014002319.tif 000003
【図２】
2014002319.tif 000004
【図３】
2014002319.tif 000005
【図４】
2014002319.tif 000006
【図５】
2014002319.tif 000007
【図６】
2014002319.tif 000008
【図７】
2014002319.tif 000009
【図８】
2014002319.tif 000010
【図９】
2014002319.tif 000011
【図１０】
2014002319.tif 000012
【図１１】
2014002319.tif 000013